(57)【特許請求の範囲】
【請求項１】
刈取り部における横一側の外側に装備した分草杆を、横外方に張り出した分草作用姿勢と刈取り部側に退避した格納姿勢とに切換え揺動可能に構成してあるコンバインの分草装置であって、
正逆作動可能な電動アクチュエータを備えて、前記電動アクチュエータと前記分草杆とを、連係機構及び摩擦機構を介して連係し、
前記電動アクチュエータからの動力を伝達させることによって前記分草杆の姿勢を変更させることができ、且つ、前記分草杆を直接手で揺動操作することによって前記分草杆の姿勢を変更させることができるように、前記摩擦機構の摩擦力を設定してあるコンバインの分草装置。
【請求項２】
前記電動アクチュエータを電動モータによって構成し、
前記電動モータと、前記電動モータの出力軸からの動力によって揺動操作される操作アームとを、前記分草杆の揺動支点よりも上方に離れた位置に配置して、前記操作アームと前記分草杆とを機体上下向きの連係ロッドで連係し、
前記摩擦機構を、前記電動モータの出力軸と前記操作アームとの間の伝動経路に介在させてある請求項１記載のコンバインの分草装置。
【請求項３】
前記分草杆に作用した外力が前記連係ロッドを介して前記操作アームに伝達されると前記摩擦機構がすべって前記電動モータの出力軸に対する前記操作アームの揺動が許容されるように構成してある請求項２記載のコンバインの分草装置。
【請求項４】
前記電動アクチュエータを電動モータによって構成し、
刈取り部側に固定されたブラケットに操作軸を支持して、前記電動モータの出力軸からの動力が伝達される駆動ギアと、第１摩擦板と、前記分草杆に連係される操作アームと、第２摩擦板と、押付板とを、この順番で前記操作軸に支持し、
前記押付板を介して前記操作アームと前記第１及び第２摩擦板とを前記駆動ギアに押し付ける方向に弾性力を付与する弾性部材を前記操作軸に備えてある請求項１記載のコンバインの分草装置。
【請求項５】
前記ブラケットの機体外側部分に前記電動モータを取り付けると共に、前記ブラケットの機体内側部分に前記操作軸を支持し、
前記操作アームを前記操作軸から機体外側に延出して、その延出端部と前記分草杆とを機体上下向きの連係ロッドで連係してある請求項４記載のコンバインの分草装置。
【請求項６】
前記摩擦機構の摩擦力を変更調節するナットを前記操作軸に備えてある請求項４又は５記載のコンバインの分草装置。
【請求項７】
前記電動アクチュエータの作動を停止させると、前記電動アクチュエータの出力部がロックされるように構成してある請求項１〜６のいずれか一項に記載のコンバインの分草装置。
【発明の詳細な説明】
【技術分野】
【０００１】
本発明は、分草杆を分草作用姿勢と格納姿勢とに切換え揺動可能に構成したコンバインの分草装置に関する。
【背景技術】
【０００２】
従来のコンバインの分草装置は、例えば、特許文献１に開示されているように、分草杆を出退操作する操作レバーを刈取り部に装備して、運転座席に着座した運転者が左手を伸ばして前後に揺動操作するように構成したレバー式のものが知られている。
【０００３】
【特許文献１】特開２００３−１５３６２９号公報
【発明の開示】
【発明が解決しようとする課題】
【０００４】
近年では電動モータ等の電動アクチュエータの機能向上に伴い、その小型化及びコストの低廉化が進んだため、従来のような、運転者が操作レバーを操作することで、連係ワイヤを引っ張って分草杆を分草作用姿勢と格納姿勢に切り替える構造に代えて、電動モータ等の電動アクチュエータを使用して分草杆の姿勢変更を行う構造を採用したものが提唱されている。
【０００５】
電動アクチュエータを使用して分草杆の姿勢変更を行うように分草装置を構成すると、分草杆の駆動系を含めた全体構造を小型軽量化及び簡素化することができるとともに、分草杆やその駆動系の配置上の制約も少ないため、全体として設計上の自由度を高めることができるというメリットがある。
【０００６】
また、電動アクチュエータを使用して分草杆の姿勢変更を行うように構成すると、運転座席付近に備えたスイッチ等を押せば自動的に分草杆の姿勢が変更されるように構成することが可能となる。スイッチ等の操作は操作レバー等の操作に比べ簡単なため運転者の作業性が向上するというメリットもある。
【０００７】
しかし、このようなメリットを備える反面、次のようなデメリットもある。例えば、電動アクチュエータの一例である電動モータを分草杆の姿勢変更に使用する場合には、電動モータの出力回転数は高いため、減速機等を介して使用する必要がある。減速機等を介して電動モータを使用すると、減速機等の出力軸は減速機を構成するギアの噛み合いなどによって回り難くなり、電動モータを停止すれば電動モータの出力軸がロックされて、分草杆を動かすことができなくなる。他の電動アクチュエータ、例えば、電動シリンダを分草杆の姿勢変更に使用する場合にも、同様に、電動シリンダを停止すればロッドがロックされて、分草杆を動かすことができなくなる。
【０００８】
このように、電動アクチュエータの出力軸等がロックされて分草杆を動かすことができなくなると次のような問題がある。運転座席付近にスイッチ等を設けて自動的に分草杆の姿勢変更ができるように構成しても、運転者が運転座席に着座していないとスイッチ等を操作できないため、運転者が運転座席に着座していない時は、手動で（分草杆そのものを手で揺動操作して）分草杆の姿勢変更を行いたい場合であっても分草杆の姿勢変更を行うことができない。また、運転者は運転に集中し、作業補助者が手動で（分草杆そのものを手で揺動操作して）分草杆の姿勢変更を行う共同作業の形態を採ることもできない。
【０００９】
分草杆は、刈取り走行時に未刈り作物が機体側に倒れ込んで刈取り部に引っ掛かったり、クローラ走行装置で踏みつけられるのを回避するために設けられたものであるため、外力を受け易く、また、障害物等に当たって大きな外力を受けることも十分に想定される。そのため、電動アクチュエータを停止して、電動アクチュエータの出力軸等がロックされると、分草杆、連係機構及び電動アクチュエータに無理な外力が作用して破損するおそれがある。
【００１０】
本発明は、電動アクチュエータを使用した分草装置の構造を工夫することによって、自動操作が行えるだけでなく手動操作も行うことができて、かつ、破損しにくいコンバインの分草装置を実現することを目的とする。
【課題を解決するための手段】
【００１１】
［Ｉ］
（構成）
本発明の第１特徴は、刈取り部における横一側の外側に装備した分草杆を、横外方に張り出した分草作用姿勢と刈取り部側に退避した格納姿勢とに切換え揺動可能に構成してあるコンバインの分草装置において次のように構成することにある。
正逆作動可能な電動アクチュエータを備えて、前記電動アクチュエータと前記分草杆とを、連係機構及び摩擦機構を介して連係し、
前記電動アクチュエータからの動力を伝達させることによって前記分草杆の姿勢を変更させることができ、且つ、前記分草杆を直接手で揺動操作することによって前記分草杆の姿勢を変更させることができるように、前記摩擦機構の摩擦力を設定する。
【００１２】
（作用）
本発明の第１特徴によると、正逆作動可能な電動アクチュエータを備えて、電動アクチュエータと分草杆とを連係機構を介して連係することにより、電動アクチュエータを正逆作動させると、連係機構を介して、その動作が分草杆に伝達されて、分草杆が分草作用姿勢又は格納姿勢に揺動する。つまり、電動アクチュエータによって、分草杆の姿勢変更を行うことが可能になる。
【００１３】
本発明の第１特徴によると、正逆作動可能な電動アクチュエータを備えて、電動アクチュエータと分草杆とを摩擦機構を介して連係することにより、分草杆に働く力が摩擦機構の摩擦力に対して小さいときは分草杆に働いた力が電動アクチュエータに伝達されて、分草杆に働く力が摩擦機構の摩擦力に対して大きいときは摩擦機構がすべって分草杆に働いた力が電動アクチュエータに伝達されない。
【００１４】
本発明の第１特徴によると、摩擦機構の摩擦力を、分草杆そのものを手で揺動操作する場合、すなわち、手動で分草杆の姿勢変更を行う場合の操作力に対して小さく設定すると、電動アクチュエータで分草杆の姿勢変更を行う場合には、摩擦機構の摩擦力により分草杆が作動し、手動で分草杆の姿勢変更を行う場合には、たとえ電動アクチュエータの出力軸等がロックしていたとしても、摩擦機構がすべって分草杆を操作することができる。すなわち、電動アクチュエータによって自動で分草杆の姿勢変更を行えるだけでなく、手動で分草杆の姿勢変更を行うことが可能になる。
【００１５】
本発明の第１特徴によると、摩擦機構の摩擦力を、分草杆に作用する一定の外力（分草杆や連係機構が破損又は変形を起こさない程度の分草杆に作用する外力）に対して小さく設定すると、その外力が分草杆に作用すると、摩擦機構がすべって分草杆が外力に従って動く。そのため、分草杆、連係機構及び電動アクチュエータに無理な外力が作用することを防止することができる。
【００１６】
（発明の効果）
本発明の第１特徴によると、電動アクチュエータを正逆作動することによって、分草杆の姿勢変更を行うことが可能になるため、分草杆の駆動系を含めた全体構造を小型軽量化及び簡素化をすることができるとともに、分草杆やその駆動系の配置上の制約も少ないため、全体として設計上の自由度を高めることができる。また、スイッチ等を押せば自動的に分草杆の姿勢変更をするように構成することが可能になるため、運転者の作業性が向上する。
【００１７】
本発明の第１特徴によると、電動アクチュエータによって自動で分草杆の姿勢変更を行えるだけでなく、手動で分草杆の姿勢変更を行うことが可能になるため、運転者が運転座席に着座していない時でも、手動で（分草杆そのものを手で揺動操作して）分草杆の姿勢変更を行うことができ、また、運転者と作業補助者とが共同作業の形態を採ることもできる。そのため、刈取作業の作業性が向上する。
【００１８】
本発明の第１特徴によると、分草杆、連係機構及び電動アクチュエータに無理な外力が作用することを防止することができるため、分草杆、連係機構及び電動アクチュエータの破損を防止することができる。
【００１９】
［ＩＩ］
（構成）
本発明の第２特徴は、本発明の第１特徴のコンバインの分草装置において次のように構成することにある。
前記電動アクチュエータを電動モータによって構成し、
前記電動モータと、前記電動モータの出力軸からの動力によって揺動操作される操作アームとを、前記分草杆の揺動支点よりも上方に離れた位置に配置して、前記操作アームと前記分草杆とを機体上下向きの連係ロッドで連係し、
前記摩擦機構を、前記電動モータの出力軸と前記操作アームとの間の伝動経路に介在させる。
【００２０】
（作用）
本発明の第２特徴によると、本発明の第１特徴と同様に前項［Ｉ］に記載の「作用」を備えており、これに加えて以下のような「作用」を備えている。
分草杆はコンバインの刈取作業による泥や土の影響を受け易い低い位置に配置されている。そのため、電動モータの動力を、摩擦板を介して操作アームに伝達するように摩擦機構を構成すると、摩擦板に泥や土が付着して摩擦力が低下し、安定した摩擦力を確保することが困難になる。
本発明の第２特徴によれば、電動モータと操作アームとを、分草杆の揺動支点よりも上方に離れた位置に配置して、操作アームと分草杆とを機体上下向きの連係ロッドで連係し、摩擦機構を電動モータの出力軸と操作アームとの間の伝動経路に介在させてあるので、分草杆から離れた位置に摩擦機構を配置することができる。
【００２１】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、分草杆から離れた位置に摩擦機構を配置することができるため、摩擦機構に泥や土が付着することによる摩擦力の低下を防止することができ、安定した摩擦力を確保することができる。
【００２２】
［ＩＩＩ］
（構成）
本発明の第３特徴は、本発明の第２特徴のコンバインの分草装置において次のように構成することにある。
前記分草杆に作用した外力が前記連係ロッドを介して前記操作アームに伝達されると前記摩擦機構がすべって前記電動モータの出力軸に対する前記操作アームの揺動が許容されるように構成する。
［ＩＶ］
（構成）
本発明の第４特徴は、本発明の第１特徴のコンバインの分草装置において次のように構成することにある。
前記電動アクチュエータを電動モータによって構成し、
刈取り部側に固定されたブラケットに操作軸を支持して、前記電動モータの出力軸からの動力が伝達される駆動ギアと、第１摩擦板と、前記分草杆に連係される操作アームと、第２摩擦板と、押付板とを、この順番で前記操作軸に支持し、
前記押付板を介して前記操作アームと前記第１及び第２摩擦板とを前記駆動ギアに押し付ける方向に弾性力を付与する弾性部材を前記操作軸に備える。
［Ｖ］
（構成）
本発明の第５特徴は、本発明の第４特徴のコンバインの分草装置において次のように構成することにある。
前記ブラケットの機体外側部分に前記電動モータを取り付けると共に、前記ブラケットの機体内側部分に前記操作軸を支持し、
前記操作アームを前記操作軸から機体外側に延出して、その延出端部と前記分草杆とを機体上下向きの連係ロッドで連係する。
［ＶＩ］
（構成）
本発明の第６特徴は、本発明の第４又は第５特徴のコンバインの分草装置において次のように構成することにある。
前記摩擦機構の摩擦力を変更調節するナットを前記操作軸に備える。
［ＶＩＩ］
（構成）
本発明の第７特徴は、本発明の第１〜第６特徴のいずれか一つのコンバインの分草装置において次のように構成することにある。
前記電動アクチュエータの作動を停止させると、前記電動アクチュエータの出力部がロックされるように構成する。
【発明を実施するための最良の形態】
【００２３】
図１〜図３に示すように、このコンバインは、左右一対のクローラ走行装置１を備えた走行機体２の前部に２条刈り仕様の刈取り部３が昇降及び横移動自在に連結されるとともに、走行機体２に運転部４、脱穀装置５、穀粒回収タンク６等が搭載されている。
【００２４】
刈取り部３には、植立穀稈を所定の刈取り姿勢に引起す左右一対の引起し装置７、引起した植立穀稈を切断するバリカン型の刈取り装置８、刈取り穀稈を後方に掻き込む左右一対の補助搬送ベルト９、刈取り穀稈の株元を掻き込み合流す左右一対の回転パッカ１０、刈取り穀稈を後方上方に向けて搬送する供給搬送装置１１等を備えて構成されており、刈取り部３全体が上下揺動自在に支持されている。
【００２５】
刈取り部３には、引起し装置７、刈取り装置８、補助搬送ベルト９、回転パッカ１０、等を支持する角パイプ材からなる刈取り部フレーム１２が前下がり傾斜姿勢で備えられている。この刈取り部フレーム１２には伝動軸（図示せず）が内蔵されており、エンジン（図示せず）から刈取り部フレーム１２に伝動された動力が刈取伝動軸を介して左右の縦伝動軸に伝動されて、刈取り部３の引起し装置７や刈取り装置８等を駆動するようになっている。
【００２６】
刈取り部３の左外側部に、サイドカバー２８を備え、その外側に、刈取り走行時に未刈り植立作物が機体側に倒れ込んで刈取り部３の各部に引っ掛かったり、クローラ走行装置１で踏みつけられるのを回避するための分草杆１８が起伏揺動自在に装備されている。後述するように、この分草杆１８は運転部４の左側に設けた操作スイッチ１９を操作することによって任意に出退操作できるようになっている。
【００２７】
図３〜図６に示すように、刈取伝動軸が内装される横向き伝動ケース１５の左端部に固定されたクランクカバー２０の後部にブラケット２１が固定されており、このブラケット２１に、操作アーム２２がスペーサ２７及びピン２３を介して、揺動支点Ｐを通る機体前後方向の軸心Ｐ１周りに回動自在に支持されている。操作アーム２２は側面視でＵ字状の折り曲げ材によって形成されている。この操作アーム２２の端部に分草杆１８の揺動パイプ１８ｂが固着されており、他端には、後述する連係ロッド２４の下端側が回動自在に取り付けられている。
【００２８】
分草杆１８の本体パイプ１８ａの前端部は、左端分草具１７に固定した取付ブラケット２５にピン２６を介して機体前後方向の軸心Ｐ１周りに回動自在に取り付けられている（図５参照）。このように構成することで、操作アーム２２に取り付けた連係ロッド２４を上下方向に押し引き操作すると、機体前後方向の軸心Ｐ１周りに操作アーム２２が揺動し、この操作アーム２２に固着した分草杆１８が横外方に張り出した分草作用姿勢と、刈取り部側に退避した格納姿勢とに切換え揺動するようになっている。
【００２９】
ブラケット２１の上部には後方に折り曲げられたストッパー部２１ａが形成されており、操作アーム２２がストッパー部２１ａに接当することによって、分草作用姿勢と格納姿勢とに位置決めされるようになっている。
【００３０】
図７及び図８に示すように、横向き伝動ケース１５から上方に縦伝動軸を内装する縦伝動ケース１６が延出され、この縦伝動ケース１６にコ字状の固定ブラケット３０が固着されており、この固定ブラケット３０にモータブラケット３１がボルト３２によって固定されている。モータブラケット３１には、電動アクチュエータの一例である電動モータ３３がギアボックス３４を介して固定されている。電動モータ３３の出力はギアボックス３４において減速された後、ギアボックス３４から後方に延出した出力軸３５に固定した出力ギア３６に伝達されるようになっている。
【００３１】
出力ギア３６は、後述する駆動ギア４０と噛合されており、電動モータ３３からギアボックス３４を介して出力軸３５に出力された動力が出力ギア３６と駆動ギア４０によってさらに減速されるようになっている。
【００３２】
図７及び図８に示すように、この分草装置の摩擦機構１３は、２枚の摩擦板４２、押付板４３、皿バネ４４等によって構成されている。以下、この摩擦機構１３の構造及びその作用について詳細に説明する。
【００３３】
モータブラケット３１には支軸３７が後向きに固定されており、この支軸３７に操作軸３８が前後に設けた２つのカラー３９を介して機体前後方向の軸心Ｐ２周りに回動自在に取り付けられている。この操作軸３８と一体回動可能に、駆動ギア４０、２枚の摩擦板４２及び押付板４３が取り付けられており、２枚の摩擦板４２の間に、操作軸３８に対して回動自在に操作アーム４１が取り付けられている。押付板４３の後方には、皿バネ４４及び押え板４５を備え、上述した駆動ギア４０、２枚の摩擦板４２、操作アーム４１及び押付板４３とともに、ナット４６によって操作軸３８に取り付けられている。
【００３４】
このように構成することで、ナット４６を操作軸３８にねじ込んで、押え板４５を介して皿バネ４４を押付板４３に押し当てて、皿バネ４４のバネ反力を作用させる。そのバネ反力によって、操作アーム４１と２枚の摩擦板４２の間に摩擦力を作用させる。摩擦力が作用すると、電動モータ３３から出力ギア３６を介して駆動ギア４０に伝達された動力が操作アーム４１に伝達されるようになっている。
【００３５】
この摩擦力は、ナット４６のねじ込み代を変更することで調整できるようになっている。すなわち、ナット４６を操作軸３８に多くねじ込めば、皿バネ４４のバネ反力が大きくため、摩擦板４２に働く摩擦力を大きくすることができる。逆に、ナット４６を緩めれば、皿バネ４４のバネ反力が小さくなるため、摩擦板４２に働く摩擦力を小さくすることができる。以下、この摩擦力を具体的に設定した場合の例を説明する。
【００３６】
電動モータ３３が所定出力に達すると摩擦板４２がすべって、電動モータ３３の出力が操作アーム４１に伝達されなくなるように摩擦力を設定すると、電動モータ３３の出力が前記所定出力を超えて連係ロッド２４や分草杆１８などに伝達されることがない。そのため、電動モータ３３の過負荷を防止することができるとともに、分草杆１８や連係ロッド２４などに電動モータ３３からの過大な負荷が作用することを防止することができ、分草杆１８や連係ロッド２４の破損を防止することができる。
【００３７】
コンバインの左側方から分草杆１８の本体パイプ１８ａを直接手で揺動操作すると、摩擦板４２がすべって、連係ロッド２４を介して操作アーム４１に伝わった操作力が電動モータ３３に伝達されなくなるように摩擦力を設定すると、たとえ電動モータ３３の出力軸３５がロックしていたとしても、手動でも分草杆の姿勢変更を行うことが可能となる。すなわち、分草杆１８の本体パイプ１８ａを直接手で揺動操作することによって、分草杆１８を任意の姿勢に設定することができる。具体的には、分草杆１８を分草作用姿勢から格納姿勢に手で揺動操作することもでき、逆に、格納姿勢から分草作用姿勢に揺動操作することもできる。また、分草作用姿勢と格納姿勢の途中の姿勢まで分草杆１８を揺動操作することもできる。
【００３８】
分草杆１８に一定の外力（分草杆１８や連係ロッド２４等が破損や変形を引き起さない程度の分草杆１８に作用する外力）が作用すると、摩擦板４２がすべって、その外力が電動モータ３３等に伝達されなくなるように摩擦力を設定すると、分草杆１８や連係ロッド２４等が外力に従って動いて、電動モータ３３等に無理な外力が作用しないため、分草杆１８、連係ロッド２４及び電動モータ３３などの破損を防止することができる。
【００３９】
図７及び図８に示すように、操作アーム４１は、Ｚ字状の折り曲げ板によって形成されており、その折り曲げられた先端部に前述した連係ロッド２４が回動自在に取り付けられている。この操作アーム４１は、上述した通り、分草杆１８を固着した操作アーム２２と連係ロッド２４によって連係されており、操作アーム４１が揺動すれば連係ロッド２４を介して操作アーム２２が揺動して、分草杆１８の姿勢変更を行うことができるようになっている。このように、この分草装置の連係機構１４は、操作アーム２２、連係ロッド２４、操作アーム４１などによって構成されている。
【００４０】
図４及び図８に示すように、電動モータ３３が正回転するとギアボックス３４を介して出力ギア３６が機体背面視で反時計回りに回転して、この出力ギア３６に噛合された駆動ギア４０が機体背面視で時計回りに回転する。駆動ギア４０の回転が摩擦板４２を介して操作アーム４１に伝達されて、操作アーム４１が駆動ギア４０と一体回転（機体背面視で時計回りに回転）することで、操作ロッド２４を引き上げて、この操作ロッド２４に連係した操作アーム２２を機体背面視で反時計回りに回転させることで、分草杆１８を刈取り部側に退避した格納姿勢から横外方に張り出した分草作用姿勢に切換え揺動する。
【００４１】
一方、電動モータ３３が逆回転するとギアボックス３４を介して出力ギア３６が機体背面視で時計回りに回転して、この出力ギア３６に噛合された駆動ギア４０が機体背面視で反時計回りに回転する。駆動ギア４０の回転が摩擦板４２を介して操作アーム４１に伝達されて、操作アーム４１が駆動ギア４０と一体回転（機体背面視で反時計回りに回転）することで、操作ロッド２４を押し下げて、この操作ロッド２４に連係した操作アーム２２を機体背面視で時計回りに回転させることで、分草杆１８を横外方に張り出した分草作用姿勢から刈取り部側に退避した格納姿勢に切換え揺動する。
【００４２】
図２に示すように、電動モータ３３の操作は、運転部４の左側に設けた操作スイッチ１９を操作することにより行う。操作スイッチ１９は分草杆１８を分草作用姿勢に揺動させるための作用スイッチ１９ａと分草杆１８を格納姿勢に揺動させるための格納スイッチ１９ｂからなり、作用スイッチ１９ａを押すと電動モータ３３が正回転して分草杆１８が分草作用姿勢に向って揺動する。一方、格納スイッチ１９ｂを押すと電動モータ３３が逆回転して分草杆１８が格納姿勢に向って揺動する。
【００４３】
このコンバインでは、運転部４の左側に操作スイッチ１９を設けている。これは、運転作業者が運転部４の左前方に位置する分草杆１８を見ながら左手で操作できるように操作スイッチ１９を配置することで、分草杆１８の姿勢切替えを確実に行うことが可能となるためである。また、作用スイッチ１９ａ又は格納スイッチ１９ｂを押している間は、電動モータ３３が回転するように、操作スイッチ１９と電動モータ３３を連動させて、分草杆１８を任意の位置で停止できるように構成してある。これは、操作スイッチ１９の操作中に分草杆１８が障害物に当たった場合などに、即座に停止することができるようにするためである。
【００４４】
［発明の実施の第１別形態］
前述の［発明を実施するための最良の形態］においては、摩擦機構１３の一例として、２枚の摩擦板４２と皿バネ４４のバネ反力を利用して、摩擦力を作用させる構成を採用したが、摩擦機構１３としては、摩擦板４２に限らず、他の摩擦部材（図示せず）でもよく、また、皿バネ４４に限らず、圧縮バネや引張バネ等の弾性部材（図示せず）によって、摩擦力を作用させる構成を採用してもよい。
【００４５】
また、分草杆１８から連係機構１４介して、電動モータ３３側に摩擦機構１３を配置した例を示したが、操作アーム２２の揺動支点Ｐの位置に摩擦機構１３を設けて、操作アーム２２を連係機構１４を介して電動モータ３３に連係する構成を採用して、分草杆１８側に摩擦機構１３を配置してもよい。
【００４６】
［発明の実施の第２別形態］
前述の［発明を実施するための最良の形態］においては、連係機構１４の一例として連係ロッド２４や操作アーム２２，４１等を用いた例を示したが、連係機構１４としては、例えば、連係ワイヤ（図示せず）等を採用してもよい。
【００４７】
［発明の実施の第３別形態］
前述の［発明を実施するための最良の形態］においては、電動アクチュエータの一例として電動モータ３３を用いた例を示したが、電動モータ３３に限らず、例えば、電動シリンダ（図示せず）などを採用してもよい。
【図面の簡単な説明】
【００４８】
【図１】コンバインの全体左側面図
【図２】コンバインの全体平面図
【図３】分草装置付近の縦断側面図
【図４】分草装置付近の縦断背面図
【図５】分草杆の前部支持構造を示す側面図
【図６】分草杆の支持構造を示す平面図
【図７】摩擦機構取り付け部の縦断側面図
【図８】電動モータ取り付け部の縦断背面図
【符号の説明】
【００４９】
３        刈取り部
１３      摩擦機構
１４      連係機構
１８      分草杆
２４      連係ロッド
３１      モータブラケット（ブラケット）
３３      電動モータ（電動アクチュエータ）
３５      出力軸（出力部）
３８      操作軸
４０      駆動ギア
４１      操作アーム
４２      摩擦板（第１及び第２摩擦板）
４３      押付板
４４      皿バネ（弾性部材）
４６      ナット
Ｐ        揺動支点
【図１】
0004820215.tif 000002
【図２】
0004820215.tif 000003
【図３】
0004820215.tif 000004
【図４】
0004820215.tif 000005
【図５】
0004820215.tif 000006
【図６】
0004820215.tif 000007
【図７】
0004820215.tif 000008
【図８】
0004820215.tif 000009